(57)【要約】【課題】  切断速度が低下することを防止し、切断ブレードの寿命をのばしたセーバソー用ブレーを提供する。【解決手段】      ブレード２の両側側面に溝５を設けた。この溝５はブレード２の背部３に形成するもので、刃部４にまで連続して溝５を形成するようにしても良い。また、溝５はブレード２の長手方向に対し、ブレード２を取り付ける側とは別の先端側３ｃへ向かって傾斜するように形成する。このように溝５を形成することにより、木材あるいは金属の切断時に発生する切断屑や切断塵が、溝により案内されてブレード２から外部に効率良く吐き出すことができる【選択図】図１
2013255963.tif 000002
【特許請求の範囲】
【請求項１】
電動モータ等により先端を往復駆動するセーバソーに取付けられ、木材、金属パイプ等を切断するブレードにおいて、前記ブレードの側面に背部から延びる溝を設けたことを特徴とするセーバソー用ブレード。
【請求項２】
前記溝は、前記ブレードの長手方向に対し、傾斜するように形成されることを特徴とする請求項１に記載のセーバソー用ブレード。
【請求項３】
前記溝は、前記ブレードの長手方向に対し、刃部側から背部側へ向かうにつれて先端側へ向かって傾斜するように形成されることを特徴とする請求項２に記載のセーバソー用ブレード。
【請求項４】
前記溝は、前記ブレードの刃部から背部まで連続して形成されることを特徴とする請求項１又は２に記載のセーバソー用ブレード。
【請求項５】
前記溝は、左側面と右側面が前記ブレードの長手面に対して面対称に形成されることを特徴する請求項１から４のいずれか一項に記載のセーバソー用ブレード。
【請求項６】
前記溝は、左側面に形成されている時、その面対称位置の右側側面には形成されず、また、右側面に溝が形成されている場合、その面対称位置の左側面には形成されないことを特徴とする請求項１から４のいずれか一項に記載のセーバソー用ブレード。
【請求項７】
前記溝は、左側面に形成されている時、面対称の右側面は溝ではなく、凸状の張り出しが形成され、また右側面に溝が形成されている時、面対称の左側面には凸状の張り出しが形成されることを特徴とする請求項６に記載のセーバソー用ブレード。
【請求項８】
前記溝は、前記ブレードの長手方向に対し、刃部側から背部側へ向かうにつれて前記ブレードを取り付ける側へも向かって傾斜している状態で前記ブレードの刃部から前記ブレードの背部まで形成されることを特徴とする請求項１から７のいずれか一項に記載のセーバソー用ブレード。
【請求項９】
前記溝は、前記ブレードの刃部から前記ブレードの背部まで形成され、前記ブレードの長手方向に対し、刃部側から背部側へ向かうにつれて前記ブレードの先端方向へ向かって傾斜している溝と、前記ブレードを取り付ける側へ向かって傾斜している溝が交差するように形成されることを特徴とする請求項１から８のいずれか一項に記載のセーバソー用ブレード。
【請求項１０】
前記溝は、前記ブレードの刃部のあさりの張り出しをなくすように形成されることを特徴とする請求項１から９のいずれか一項に記載のセーバソー用ブレード。
【請求項１１】
前記溝は、前記ブレードの刃部のあさりの張り出しを残しながら、あさりの部分の背方向に向かった終わり部分から形成されることを特徴とする請求項１から９のいずれか一項に記載のセーバソー用ブレード。
【発明の詳細な説明】
【技術分野】
【０００１】
本発明は、セーバソー等の電動工具にとりつけられ、木材あるいは金属等のパイプを切断するためのセーバソー用ブレードに関するものである。
【背景技術】
【０００２】
一般に、木造建築、あるいは配管業、解体業等における、木材板あるいは金属パイプの切断、金属片を含む複合材の切断、解体等を行う場合、電動工具のセーバソーに鋸刃様の鋼材からなるブレードを取付けて切断作業を行う。この作業時には、木材の切断屑、金属の切断屑が発生するが、この切断塵が切断溝から効率良く吐き出されることで、切断作業は早く効率良く行われる。しかし、切断屑が上手く吐き出されない場合、切断速度も次第に遅くなり、また切断ブレードの寿命も次第に悪くなる。この切断能力の向上、寿命の向上のための改良は十分行われてきたが、更に切断速度を持続させ、ブレードの寿命を長くしてほしいという要望が多い。
【０００３】
切断速度あるいは切断寿命を向上させる策として、例えば、特許文献１に示されているようにセーバソー用ブレードの刃部を湾曲状にすることで、通常の直線からなるブレードと比較して、切れ味ないしは切削性能及び耐久性を向上させた技術が知られている。
【先行技術文献】
【特許文献】
【０００４】
【特許文献１】特許第３４３１５５７号公報
【発明の概要】
【発明が解決しようとする課題】
【０００５】
従来の一般的なセーバソー用ブレードは、直線形状で刃部及びセーバソーに取り付ける接続部を有し、セーバソーに取り付け、直線方向に往復動を行うことで、木材板、金属パイプ等の切断を行うことができる。また、特許文献１の技術では、直線状のブレードを湾曲状にすることで、被切断材に湾曲部位が直線状の刃部形状よりも食い込みやすくなることで切断速度が速くなる。さらに、湾曲状の刃部は直線状の刃部よりも被切断材から離れやすく冷却効果が高いため、切断寿命も長くなる。ここで、木材あるいは金属の切断時には切断屑が発生するが、この切断塵が切断溝から効率良く吐き出すことができれば切断作業は早く効率良く行われる。逆に、切断屑が上手く吐き出されない場合は、切断速度が次第に低下して切断時間を要するため、切断ブレードの寿命が次第に悪くなってしまう。
【０００６】
本発明は上記背景に鑑みてなされたもので、その目的はセーバソーの切断速度を持続させて、寿命を長くしたセーバソー用ブレードを提供することにある。
本発明の他の目的は、木材あるいは金属の切断時に発生する切断屑や切断塵を、切断溝から効率良く吐き出すことができるセーバソー用ブレードを提供することにある。
【課題を解決するための手段】
【０００７】
本発明では、電動等のモータにより先端が往復動する機構を備えたセーバソーにおいて、往復動する先端にセーバソー用ブレードが装着可能となっており、木材板や金属パイプ等を適正なブレードを選択することで切断することができる。このブレードの側面に溝を設けた。溝はブレードの刃部から、ブレードの背部まで連続した溝として形成するのが好ましく、溝はブレードの厚みを部分的に薄くすることにより形成し、ブレードの長手方向に対してブレードを取り付ける側とは別の先端側へ向かって傾斜している状態でブレードの刃部からブレードの背部まで形成すると良い。
【０００８】
ブレード側面の溝は、左側面と右側面がブレード長手面対称に形成することができる。また、左側面に形成するが、その面対称位置の右側側面には形成しないようにしても良い同様にして、右側面に溝を形成して、その面対称位置の左側面には形成しないようにしても良い。また、左側面に形成した際に、面対称の右側面は溝ではなく、凸状の張り出しとして形成しても良く、同様に右側面に溝を形成して、面対称の左側面には凸状の張り出しを形成しても良い。
【０００９】
ブレード側面の溝は、ブレードの長手方向に対し、ブレードを取り付ける側へも向かって傾斜している状態でブレードの刃部からブレードの背部まで形成することができる。また、ブレードの刃部からブレードの背部まで形成し、ブレードの長手方向に対し、ブレードの先端方向へ向かって傾斜している溝と、ブレードを取り付ける側へ向かって傾斜している溝が交差するように構成しても良い。ブレード側面の溝は、ブレードの刃部のあさりの張り出しをなくするように形成することもできるし、あるいはブレードの刃部のあさりの張り出しを残しながら、あさりの部分の背方向に向かった終わり部分から形成することもできる。
【発明の効果】
【００１０】
本発明によれば、ブレードの側面に溝又は凹部を設けることで、木材板あるいは金属パイプの切断時に発生する切断屑が、切断された壁とブレード側面との間に詰まらずにこの切断屑に入り込み、溝に沿って切断屑が吐き出され、スムーズな切断が行われることから、切断速度の落ち込みが少なく、また、スムーズな切断により、刃部における負荷も少なく、寿命が向上することとなる。
【図面の簡単な説明】
【００１１】
【図１】本発明の実施例に係るセーバソー用ブレードを示す図であり、（１）は部分側面図であり、（２）は部分底面図、（３）は（１）のＡ−Ａ部の部分断面図である。
【図２】本発明の第２の実施例に係るセーバソー用ブレードを示す図であり、（１）は部分側面図であり、（２）は部分底面図である。
【図３】本発明の第２の実施例に係るセーバソー用ブレードの部分側面図である。
【図４】セーバソーとブレードを用いた切断作業の様子を示す図である。
【図５】従来のセーバソー用ブレードを示す図であり、（１）は部分側面図であり（２）は部分底面図である。
【発明を実施するための形態】
【実施例１】
【００１２】
以下、本発明の実施例を図面に基づいて説明する。本明細書においてはブレードの前後左右、上下の方向は図５に示す方向であるとして説明する。まず図４を用いてセーバソーとブレードを用いた切断作業の様子を説明する。セーバソー１０１の先端往復動部１０１ａには、被切断材１１３を切断するためのブレード１０２が装着される。図４にて示すブレード１０２は従来から用いられている公知のものであって、ブレード１０２の左右両側には溝が形成されていないタイプである。作業者は左手でセーバソー１０１のハンドル部分を把持し、右手でセーバソー１０１のハウジング前方部分を把持して、ブレード１０２を木材板等の被切断材１１３に所定の角度を持って当てながら、切断作業を行う。
【００１３】
図５は従来のセーバソー用ブレードを示す部分拡大図で、（１）は部分側面図であり（２）は部分底面図である。ブレード１０２は刃部１０４と背部１０３から構成されており、セーバソー１０１に装着される側から遠ざかる部分である先端部１０３ｃは、先細りの形状となっている。また刃部１０４には左右にあさりを持つ刃が存在し、たとえば（２）に示すように左あさり刃１０４ａと右あさり刃１０４ｂが構成されており、ボディ部分（背部１０３）の厚さｄより左側又は右側側面に張り出している。
【００１４】
このような従来例のブレード１０２に対して本実施例にかかるブレード２を示すのが図１である。図１（１）は本実施例に係るブレード２を示す部分側面図である。ブレード２は上下方向において背部３と、背部３の下側に形成される刃部４によって形成されるが、本実施例ではブレード２の側面に溝５を設けた。溝５は所定の幅を持って上から下方向に斜めに形成すると好ましく、この斜めの状態は、溝５の上から下方向にいくにつれて後方になるように形成し、背部３から刃部４まで連続するように形成すると良い。図１（２）はブレード２の部分底面図であり、左右対称の位置に複数の溝５が形成されることにより、ブレードの部分的な肉厚が薄くなっていることが理解できるであろう。また、溝５を刃部４にまで連続するように形成されるため、複数有する右あさり刃４ｂと左あさり刃４ａのうちいくつかの肉厚（左右方向の長さ）が薄く形成される。図１（３）は図１のＡ−Ａ部の断面図である。溝５は中央部５ａの前後方向両端の段差部は、斜めになるように形成され、切断溝に対して干渉しにくくて切断屑が溝５のエッジ部分に引っかかりにくいように構成される。このように本実施例では溝５を複数本平行に、側面視で斜めになるように形成することにより、刃部４の切断により発生した切断屑（図示せず）は、側面の溝５ａ及び５ｂに入り込むことで、切断溝からスムーズに吐き出される。
【実施例２】
【００１５】
次に図２を用いて本発明の第２の実施例に係るブレード２２を説明する。ブレード２２においては、左右側面に形成される溝の幅（前後方向長さ）や間隔が第１の実施例と異なる。また、ブレード２２においては溝２５の形成される本数が多い上、溝２５は背部２３にだけ形成され、刃部２４には形成されない。図２（２）はブレード２２の底面図であり、この形状は図５（２）で示した従来のブレード１０２の刃部１０４の形状と全く同一であることが理解できるであろう。このように、側面の溝２５は刃部４の先端（下端）から設けずに背部２３にだけ形成するようにしても良く、この場合は左右のあさり２４ａ及び２４ｂが損なわれることがない上、溝２５を介して切断により発生した切断屑が効果的に排出されるので、より早く切断可能である。
【実施例３】
【００１６】
次に図３を用いて本発明の第３の実施例に係るブレード４２を説明する。ブレード４２においては、第２の実施例と溝部４５の形状が異なる。図５（１）に示すように、溝部４５は、刃先４３ｃから後方側に延びる溝として、上端４３ａから刃先側（下端）に向かっていく溝４５ａと、その逆で刃先側（下端）から上端４３ａに向かっている溝４５ｂが交差するようにして形成される。つまり、溝部４５は側面視で斜め格子状に形成した。溝部４５は背部４３の左右面に対称に形成しても良く、また左右を前後方向にずらして形成しても良い。
【００１７】
このように格子状の溝部４５を形成した場合でも、切断屑が往復動に対応し、切断溝からスムーズに吐き出されることが可能となる。尚、第３の実施例においても第２の実施例と同様に刃部４４まで溝部４５が到達しないように構成したが、第１の実施例と同様に刃部４４にまで溝部４５を形成しても良い。
【００１８】
以上、本発明を実施例に基づいて説明したが、本発明は上述の実施例に限定されるものではなく、その趣旨を逸脱しない範囲内で種々の変更が可能である。例えば、上述の実施例では刃部がストレート状のセーバソー用ブレードで説明したが、刃部を湾曲状にしたセーバソー用ブレードに同様に適用しても良い。
【符号の説明】
【００１９】
２、２２、４２  ブレード
３、２３、４３  （ブレードの）背部
３ａ、２３ａ、４３ａ  （ブレードの）上端
３ｃ、２３ｃ、４３ｃ  （ブレードの）刃先
４、２４、４４  （ブレードの）刃部
４ａ、２４ａ  （刃部の）左あさり刃
４ｂ、２４ｂ  （刃部の）右あさり刃
５、２５、４５ａ、４５ｂ  （ブレードの）溝
４５  （ブレードの）溝部
１０１  セーバソー
１０１ａ  （セーバソーの）先端往復動部
１０２  ブレード
１０３  （ブレードの）背部
１０３ｃ  （ブレードの）先端部
１０４  ブレード刃部
１０４ａ  （刃部の）左あさり刃
１０４ｂ  （刃部の）右あさり刃
１１３  被切断材
【図４】
2013255963.tif 000003
【図５】
2013255963.tif 000004
【図１】
2013255963.tif 000005
【図２】
2013255963.tif 000006
【図３】
2013255963.tif 000007